(57)【要約】【課題】湾曲面に対する加飾シートの位置がずれることを抑制しつつ、湾曲面に対して加飾シートを貼り付けることができる加飾シートの貼り付け方法、および、加飾シートを提供する。【解決手段】  幅方向両端に向かって湾曲する湾曲面Ｓに対して加飾シート１を貼り付けるにあたって、位置決め工程により、加飾シート１の所定方向中央部分Ａ１を湾曲面Ｓに対して位置決めし、その後、加飾シート１の所定方向中央部分Ａ１（第１貼付工程）、加飾シート１の幅方向中央部分Ａ２（第２貼付工程）、加飾シート１の幅方向両端Ａ３（第３貼付工程）の順に、加飾シート１を湾曲面Ｓに貼り付ける。【選択図】図４
2019218507.tif 000002
【特許請求の範囲】
【請求項１】
対象の湾曲面に加飾シートを貼り付けるための貼り付け方法であって、
前記湾曲面は、所定方向に延び、前記所定方向と直交する幅方向に所定の幅を有し、
前記湾曲面の前記幅方向両端のそれぞれは、前記加飾シートが前記湾曲面に貼り付けられる貼付方向において、前記加飾シートから離れる方向に湾曲しており、
前記加飾シートは、
加飾された表面と、
粘着性を有する裏面であって、セパレータが貼り付けられた裏面と
を有し、
前記貼り付け方法は、
前記セパレータが前記裏面に貼り付けられた状態で、前記加飾シートの前記幅方向一端部の前記所定方向中央部分を、前記湾曲面の前記幅方向一端部の前記所定方向中央部分に対して位置決めするとともに、前記加飾シートの前記幅方向他端部の前記所定方向中央部分を、前記湾曲面の前記幅方向他端部の前記所定方向中央部分に対して位置決めする位置決め工程と、
前記位置決め工程の後、前記加飾シートの前記所定方向中央部分を前記湾曲面の前記所定方向中央部分に貼り付ける第１貼付工程と、
前記第１貼付工程の後、前記加飾シートの前記幅方向中央部分を、前記セパレータを前記裏面から剥がしながら前記所定方向中央から前記所定方向両端に向かって、前記湾曲面の前記幅方向中央部分に貼り付ける第２貼付工程と、
前記第２貼付工程の後、前記加飾シートの前記幅方向両端を前記湾曲面に貼り付ける第３貼付工程と
を含むことを特徴とする、加飾シートの貼り付け方法。
【請求項２】
請求項１に記載の加飾シートの貼り付け方法を用いて前記湾曲面に貼り付けられる加飾シートであって、
前記幅方向一端部の前記所定方向中央部分に設けられる第１位置決め部と
前記幅方向他端部の前記所定方向中央部分に設けられる第２位置決め部と
を有することを特徴とする、加飾シート。
【発明の詳細な説明】
【技術分野】
【０００１】
本発明は、加飾シートの貼り付け方法、および、加飾シートに関する。
【背景技術】
【０００２】
従来、加飾シートの貼り付け方法として、帯状の意匠テープを含む枠状部材の長手方向両端を治具で固定した状態で、意匠テープをパネルに貼り付ける、意匠テープの貼り付け方法が知られている（例えば、特許文献１参照）。
【先行技術文献】
【特許文献】
【０００３】
【特許文献１】特開２０１３−０６８０５１号公報
【発明の概要】
【発明が解決しようとする課題】
【０００４】
しかし、特許文献１に記載の方法では、パネルが湾曲面を有し、湾曲面に意匠テープを貼り付ける場合、意匠テープを含む枠状部材の長手方向両端を治具で固定した状態で、意匠テープのうちの、最も湾曲面に近接した部分を湾曲面に貼り付けた後、意匠テープから枠状部材から切り離して、意匠テープを湾曲面に沿わせるように貼り付ける必要がある。
【０００５】
この場合、意匠テープを湾曲面に沿わせる段階で、作業者の熟練度によって、湾曲面に対する意匠テープの位置が部分的にずれるなどして、意匠テープの貼り付け品質が低下する可能性がある。
【０００６】
そこで、本発明の目的は、湾曲面に対する加飾シートの位置がずれることを抑制しつつ、湾曲面に対して加飾シートを貼り付けることができる加飾シートの貼り付け方法、および、加飾シートを提供することにある。
【課題を解決するための手段】
【０００７】
本発明［１］は、対象の湾曲面に加飾シートを貼り付けるための貼り付け方法であって、前記湾曲面が、所定方向に延び、前記所定方向と直交する幅方向に所定の幅を有し、前記湾曲面の前記幅方向両端のそれぞれが、前記加飾シートが前記湾曲面に貼り付けられる貼付方向において、前記加飾シートから離れる方向に湾曲しており、前記加飾シートが、加飾された表面と、粘着性を有する裏面であって、セパレータが貼り付けられた裏面とを有し、前記貼り付け方法が、前記セパレータが前記裏面に貼り付けられた状態で、前記加飾シートの前記幅方向一端部の前記所定方向中央部分を、前記湾曲面の前記幅方向一端部の前記所定方向中央部分に対して位置決めするとともに、前記加飾シートの前記幅方向他端部の前記所定方向中央部分を、前記湾曲面の前記幅方向他端部の前記所定方向中央部分に対して位置決めする位置決め工程と、前記位置決め工程の後、前記加飾シートの前記所定方向中央部分を前記湾曲面の前記所定方向中央部分に貼り付ける第１貼付工程と、前記第１貼付工程の後、前記加飾シートの前記幅方向中央部分を、前記セパレータを前記裏面から剥がしながら前記所定方向中央から前記所定方向両端に向かって、前記湾曲面の前記幅方向中央部分に貼り付ける第２貼付工程と、前記第２貼付工程の後、前記加飾シートの前記幅方向両端を前記湾曲面に貼り付ける第３貼付工程とを含む、加飾シートの貼り付け方法を含む。
【０００８】
このような方法によれば、加飾シートを湾曲面に貼り付けるにあたって、位置決め工程により、加飾シートの所定方向中央部分を湾曲面に対して位置決めし、その後、加飾シートの所定方向中央部分（第１貼付工程）、加飾シートの幅方向中央部分（第２貼付工程）、加飾シートの幅方向両端（第３貼付工程）の順に、加飾シートを湾曲面に貼り付ける。
【０００９】
これにより、湾曲面の湾曲が比較的小さな所定方向中央部分および幅方向中央部分から、湾曲が大きくなる幅方向両端に向かって、順次、加飾シートを湾曲面に貼り付けることができる。
【００１０】
その結果、湾曲面に対する加飾シートの位置がずれることを抑制しつつ、湾曲面に対して加飾シートを貼り付けることができる。
【００１１】
また、本発明［２］は、上記［１］に記載の加飾シートの貼り付け方法を用いて前記湾曲面に貼り付けられる加飾シートであって、前記幅方向一端部の前記所定方向中央部分に設けられる第１位置決め部と前記幅方向他端部の前記所定方向中央部分に設けられる第２位置決め部とを有する、加飾シートを含む。
【００１２】
このような構成によれば、加飾シートの幅方向一端部の所定方向中央部分、および、幅方向他端部の所定方向中央部分に、それぞれ、位置決め部が設けられているので、加飾シートを湾曲面に対して確実に位置決めできる。
【発明の効果】
【００１３】
本発明によれば、湾曲面に対する加飾シートの位置がずれることを抑制しつつ、湾曲面に対して加飾シートを貼り付けることができる。
【図面の簡単な説明】
【００１４】
【図１】図１は、本発明の加飾シートの貼り付け方法の一実施形態における位置決め工程を説明する説明図である。
【図２】図２Ａは、図１に示す加飾シートの平面図である。図２Ｂは、図２ＡのＡ−Ａ断面図である。
【図３】図３は、位置決め工程が完了した後の加飾シートと湾曲面との相対配置を説明するための説明図である。
【図４】図４は、第１貼付工程、第２貼付工程および第３貼付工程を説明する説明図である。
【図５】図５は、変形例を説明するための説明図である。
【発明を実施するための形態】
【００１５】
１．加飾シート
加飾シート１は、図１に示すように、意匠性を向上させるなどの目的で、対象の外表面に貼り付けられる。この実施形態では、加飾シート１は、対象の湾曲面Ｓに貼り付けられる。対象は、車両の一部である。より具体的には、対象は、車両のフロントバンパーＢであり、湾曲面Ｓは、フロントバンパーＢの前面である。フロントバンパーＢの形状、および、加飾シート１の貼り付け方法については、後で説明する。
【００１６】
加飾シート１は、図２Ａに示すように、所定方向に長い平板形状を有する。なお、以下の説明において、所定方向と直交する方向を幅方向と定義する。加飾シート１は、幅方向において、所定の幅を有する。加飾シート１は、図２Ｂに示すように、複数の層が積層された積層体である。加飾シート１は、少なくとも、基材層２と、粘着剤層３と、セパレータ４とを備える。また、加飾シート１は、必要により、コート層５を備える。
【００１７】
基材層２は、加飾シート１の基材である。基材層２の表面Ｓ１は、グラビア印刷などにより、加飾されている。すなわち、加飾シート１は、加飾された表面Ｓ１を有する。基材層２としては、例えば、ポリ塩化ビニル（ＰＶＣ）などの樹脂シート、不織布、紙、金属箔などが挙げられる。
【００１８】
粘着剤層３は、基材層２の裏面に積層される。すなわち、加飾シート１は、粘着性を有する裏面Ｓ２を有する。加飾シート１は、粘着剤層３の粘着性により、フロントバンパーＢの湾曲面Ｓに貼り付けられる。粘着剤層３の材料としては、例えば、アクリル系粘着剤などの粘着剤が挙げられる。
【００１９】
セパレータ４は、粘着剤層３に対して基材層２の反対側に配置される。セパレータ４は、粘着剤層３に貼り付けられている。すなわち、セパレータ４は、加飾シート１の裏面Ｓ２に貼り付けられている。セパレータ４は、加飾シート１がフロントバンパーＢの湾曲面Ｓに貼り付けられるときに、粘着剤層３から剥離される。セパレータ４の材料は、粘着剤層３から容易に剥離可能であれば、特に限定されない。セパレータ４としては、例えば、ポリプロピレンなどの樹脂からなるシートが挙げられる。セパレータ４は、ミシン目Ｌ（図２Ａ参照）を有する。ミシン目Ｌは、所定方向中央部分に設けられる。ミシン目Ｌは、幅方向に延びる。
【００２０】
コート層５は、加飾シート１の表面Ｓ１を覆う。これにより、コート層５は、加飾シート１の表面Ｓ１を保護する。コート層５の材料としては、例えば、フッ素樹脂、アクリル樹脂、ウレタン樹脂、シリコーン樹脂など、高い透明性と高い表面硬度とを両立できる樹脂が挙げられる。
【００２１】
そして、加飾シート１は、図２Ａに示すように、シート本体１１と、複数の位置決め部１２とを有する。
【００２２】
シート本体１１は、加飾シート１のうち、フロントバンパーＢの湾曲面Ｓに貼り付けられる部分である。シート本体１１は、湾曲面Ｓに応じた形状を有する。この実施形態では、シート本体１１は、所定方向に延びる略矩形状を有する。
【００２３】
複数の位置決め部１２は、加飾シート１がフロントバンパーＢの湾曲面Ｓに貼り付けられるときに、湾曲面Ｓに対するシート本体１１の位置を決めるために利用される。複数の位置決め部１２のそれぞれは、シート本体１１から突出し、湾曲面Ｓに貼り付けられない。また、複数の位置決め部１２のそれぞれは、シート本体１１から切り離し可能である。この実施形態では、複数の位置決め部１２は、第１位置決め部１２Ａと、第２位置決め部１２Ｂと、第３位置決め部１２Ｃと、第４位置決め部１２Ｄと、第５位置決め部１２Ｅと、第６位置決め部１２Ｆとである。すなわち、加飾シート１は、第１位置決め部１２Ａと、第２位置決め部１２Ｂとを有する。
【００２４】
第１位置決め部１２Ａは、加飾シート１の幅方向一端部の所定方向中央部分に設けられる。詳しくは、第１位置決め部１２Ａは、シート本体１１の幅方向一端部の所定方向中央部分から、幅方向一方に向かって突出する。第１位置決め部１２Ａは、略矩形状を有する。第１位置決め部１２Ａは、貫通穴Ｈ１を有する。貫通穴Ｈ１は、円形状を有する。
【００２５】
第２位置決め部１２Ｂは、加飾シート１の幅方向他端部の所定方向中央部分に設けられる。詳しくは、第２位置決め部１２Ｂは、シート本体１１の幅方向他端部の所定方向中央部分から、幅方向他方に向かって突出する。つまり、第２位置決め部１２Ｂは、幅方向において、シート本体１１に対して、第１位置決め部１２Ａの反対側に配置される。第２位置決め部１２Ｂは、略矩形状を有する。第２位置決め部１２Ｂは、貫通穴Ｈ２を有する。貫通穴Ｈ２は、円形状を有する。
【００２６】
第３位置決め部１２Ｃは、加飾シート１の幅方向他端部の所定方向一端部に設けられる。詳しくは、第３位置決め部１２Ｃは、シート本体１１の幅方向他端部の所定方向一端部から、幅方向他方に向かって突出する。第３位置決め部１２Ｃは、略矩形状を有する。第３位置決め部１２Ｃは、貫通穴Ｈ３を有する。貫通穴Ｈ３は、円形状を有する。
【００２７】
第４位置決め部１２Ｄは、加飾シート１の幅方向他端部の所定方向他端部に設けられる。詳しくは、第４位置決め部１２Ｄは、シート本体１１の幅方向他端部の所定方向他端部から、幅方向他方に向かって突出する。第４位置決め部１２Ｄは、略矩形状を有する。第４位置決め部１２Ｄは、貫通穴Ｈ４を有する。貫通穴Ｈ４は、円形状を有する。
【００２８】
第５位置決め部１２Ｅは、加飾シート１の幅方向一端部の所定方向一端部に設けられる。詳しくは、第５位置決め部１２Ｅは、シート本体１１の幅方向一端部の所定方向一端部から、幅方向一方に向かって突出する。つまり、第５位置決め部１２Ｅは、幅方向において、シート本体１１に対して、第３位置決め部１２Ｃの反対側に配置される。第５位置決め部１２Ｅは、略矩形状を有する。第５位置決め部１２Ｅは、貫通穴Ｈ５を有する。貫通穴Ｈ５は、所定方向に長い長穴形状を有する。
【００２９】
第６位置決め部１２Ｆは、加飾シート１の幅方向一端部の所定方向他端部に設けられる。詳しくは、第６位置決め部１２Ｆは、シート本体１１の幅方向一端部の所定方向他端部から、幅方向一方に向かって突出する。つまり、第６位置決め部１２Ｆは、幅方向において、シート本体１１に対して、第４位置決め部１２Ｄの反対側に配置される。第６位置決め部１２Ｆは、略矩形状を有する。第６位置決め部１２Ｆは、貫通穴Ｈ６を有する。貫通穴Ｈ６は、所定方向に長い長穴形状を有する。
【００３０】
２．フロントバンパーおよび治具
次に、フロントバンパーＢおよび治具Ｚについて説明する。
【００３１】
（１）フロントバンパー
図１に示すように、フロントバンパーＢは、車幅方向に延びる。フロントバンパーＢは、第１開口２１と、第２開口２２と、ビーム２３とを有する。
【００３２】
第１開口２１は、フロントバンパーＢの車幅方向中央部分に配置される。第１開口２１は、車幅方向に延びる。
【００３３】
第２開口２２は、車幅方向と直交する方向において、第１開口２１と間隔を隔てて配置される。第２開口２２は、フロントバンパーＢの車幅方向中央部分に配置される。第２開口２２は、車幅方向に延びる。
【００３４】
ビーム２３は、車幅方向と直交する方向において、第１開口２１と第２開口２２との間に配置される。ビーム２３は、車幅方向に延びる。ビーム２３の前面が、湾曲面Ｓである。湾曲面Ｓは、車幅方向に延びる。この実施形態では、車幅方向は、上記の所定方向と同じ方向である。すなわち、湾曲面Ｓは、所定方向に延び、幅方向に所定の幅を有する。湾曲面Ｓの幅方向両端のそれぞれは、加飾シート１が湾曲面Ｓに貼り付けられる貼付方向において、加飾シート１から離れる方向に湾曲している。また、湾曲面Ｓの所定方向両端（すなわち、車幅方向両端）のそれぞれは、貼付方向において、加飾シート１から離れるように湾曲している。
【００３５】
（２）治具
治具Ｚは、嵌合部３１と、複数の位置決め突起３２とを備える。複数の位置決め突起３２は、複数の位置決め部１２に対応するように配置され、この実施形態では、第１位置決め部１２Ａに対応する第１位置決め突起３２Ａと、第２位置決め部１２Ｂに対応する第２位置決め突起３２Ｂと、第３位置決め部１２Ｃに対応する第３位置決め突起３２Ｃと、第４位置決め部１２Ｄに対応する第４位置決め突起３２Ｄと、第５位置決め部１２Ｅに対応する第５位置決め突起３２Ｅと、第６位置決め部１２Ｆに対応する第６位置決め突起３２Ｆとである。
【００３６】
嵌合部３１は、所定方向に延び、ビーム２３の形状に沿う表面を有する。嵌合部３１は、ビーム２３に対して、湾曲面Ｓの裏側から嵌まる部分である。嵌合部３１がビーム２３に嵌まることにより、治具Ｚは、ビーム２３に対して固定される。
【００３７】
複数の位置決め突起３２のそれぞれは、嵌合部３１の周囲に配置され、台座３３とボス３４とを有する。
【００３８】
台座３３は、治具Ｚがビーム２３に対して固定された状態で、貼付方向に延びる。すべての台座３３の上面は、貼付方向と直交する方向に延びる。すべての台座３３の上面は、貼付方向において、同じ高さに配置される。これにより、各位置決め突起３２のボス３４が各位置決め部１２の貫通穴に挿通され、各位置決め部１２が各位置決め突起３２の台座３３の上面と接触しているときに、加飾シート１は、すべての台座３３の上面を含む仮想の基準面に沿って延びた状態で、貼付方向において、湾曲面Ｓに対して位置決めされる。なお、各台座３３の上面が貼付方向と直交する方向に延びているので、すべての台座３３の上面を含む仮想の基準面は、貼付方向と直交する方向に延びる。
【００３９】
ボス３４は、台座３３の上面に設けられる。ボス３４は、台座３３の上面から延びる。ボス３４は、円柱形状を有する。各ボス３４は、治具Ｚがビーム２３に対して固定され、加飾シート１が湾曲面Ｓに重ねられた状態で、各位置決め部１２の貫通穴に挿通される。詳しくは、第１位置決め突起３２Ａのボス３４は、第１位置決め部１２Ａの貫通穴Ｈ１に挿通され、第２位置決め突起３２Ｂのボス３４は、第２位置決め部１２Ｂの貫通穴Ｈ２に挿通され、第３位置決め突起３２Ｃのボス３４は、第３位置決め部１２Ｃの貫通穴Ｈ３に挿通され、第４位置決め突起３２Ｄのボス３４は、第４位置決め部１２Ｄの貫通穴Ｈ４に挿通され、第５位置決め突起３２Ｅのボス３４は、第５位置決め部１２Ｅの貫通穴Ｈ５に挿通され、第６位置決め突起３２Ｆのボス３４は、第６位置決め部１２Ｆの貫通穴Ｈ６に挿通される。
【００４０】
第１位置決め突起３２Ａのボス３４が第１位置決め部１２Ａの貫通穴Ｈ１に挿通され、第２位置決め突起３２Ｂのボス３４が第２位置決め部１２Ｂの貫通穴Ｈ２に挿通されることにより、第１位置決め部１２Ａおよび第２位置決め部１２Ｂのそれぞれは、湾曲面Ｓに対して、所定方向および幅方向の両方において位置決めされる。
【００４１】
また、第１位置決め突起３２Ａのボス３４が貫通穴Ｈ１に挿通され、第２位置決め突起３２Ｂのボス３４が貫通穴Ｈ２に挿通された状態で、加飾シート１は、湾曲面Ｓに対して回転不能になる。また、第１位置決め部１２Ａおよび第２位置決め部１２Ｂが湾曲面Ｓに対して所定方向および幅方向の両方において移動不能であり、かつ、加飾シート１が湾曲面Ｓに対して回転不能であることにより、シート本体１１の所定方向中央部分は、湾曲面Ｓの所定方向中央部分に対して位置決めされる。
【００４２】
また、第３位置決め突起３２Ｃのボス３４が第３位置決め部１２Ｃの貫通穴Ｈ３に挿通され、第４位置決め突起３２Ｄのボス３４が第４位置決め部１２Ｄの貫通穴Ｈ４に挿通されることにより、第３位置決め部１２Ｃおよび第４位置決め部１２Ｄのそれぞれは、湾曲面Ｓに対して、所定方向および幅方向の両方において位置決めされる。
【００４３】
また、第２位置決め部１２Ｂ、第３位置決め部１２Ｃおよび第４位置決め部１２Ｄが湾曲面Ｓに対して所定方向および幅方向の両方において移動不能であることにより、シート本体１１の幅方向他端部は、所定方向すべてにわたって、湾曲面Ｓに対して、位置決めされる。
【００４４】
また、第５位置決め突起３２Ｅのボス３４が第５位置決め部１２Ｅの貫通穴Ｈ５に挿通され、第６位置決め突起３２Ｆのボス３４が第６位置決め部１２Ｆの貫通穴Ｈ６に挿通されることにより、第５位置決め部１２Ｅおよび第６位置決め部１２Ｆのそれぞれは、湾曲面Ｓに対して、幅方向に位置決めされた状態で所定方向に移動可能になる。これにより、第１位置決め部１２Ａ、第２位置決め部１２Ｂ、第３位置決め部１２Ｃおよび第４位置決め部１２Ｄによって、所定方向および幅方向の両方において、湾曲面Ｓに対する加飾シート１の位置を決めながら、加飾シート１の寸法公差を許容できる。
【００４５】
３．加飾シートの貼り付け方法
次に、加飾シート１の貼り付け方法について説明する。
【００４６】
加飾シート１は、いわゆるドライ工法（ドライ貼り）によって、湾曲面Ｓに貼り付けられる。そのため、加飾シート１の粘着剤層３が湾曲面Ｓに貼り付くと、湾曲面Ｓに対する加飾シート１の位置を修正することができない。そこで、加飾シート１の貼り付け方法は、位置決め工程と、第１貼付工程と、第２貼付工程と、第３貼付工程とを含む。作業者は、位置決め工程と、第１貼付工程と、第２貼付工程と、第３貼付工程とを、順に実施する。
【００４７】
（１）位置決め工程
位置決め工程では、まず、作業者は、図１に示すように、フロントバンパーＢのビーム２３を治具Ｚの嵌合部３１に被せて、フロントバンパーＢを治具Ｚに固定する。
【００４８】
すると、第１位置決め突起３２Ａ、第５位置決め突起３２Ｅおよび第６位置決め突起３２Ｆが、フロントバンパーＢの第１開口２１を通り、第２位置決め突起３２Ｂ、第３位置決め突起３２Ｃおよび第４位置決め突起３２Ｄが、フロントバンパーＢの第２開口２２を通る。
【００４９】
次に、作業者は、セパレータ４（図２参照）が裏面Ｓ２に貼り付けられた状態で、裏面Ｓ２が湾曲面Ｓに面するように、加飾シート１を湾曲面Ｓに重ねる。このとき、作業者は、加飾シート１の各位置決め部１２を、対応する位置決め突起３２に対して位置決めする。詳しくは、作業者は、第１位置決め突起３２Ａのボス３４を、第１位置決め部１２Ａの貫通穴Ｈ１に通し、第２位置決め突起３２Ｂのボス３４を、第２位置決め部１２Ｂの貫通穴Ｈ２に通す。すなわち、位置決め工程では、作業者は、セパレータ４が裏面Ｓ２に貼り付けられた状態で、加飾シート１の幅方向一端部の所定方向中央部分を、湾曲面の幅方向一端部の所定方向中央部分に対して位置決めするとともに、加飾シートの幅方向他端部の所定方向中央部分を、湾曲面の幅方向他端部の所定方向中央部分に対して位置決めする。
【００５０】
これにより、シート本体１１の所定方向中央部分は、湾曲面Ｓの所定方向中央部分に対して位置決めされる。これにより、位置決め工程が完了する。
【００５１】
また、作業者は、第３位置決め突起３２Ｃのボス３４を、第３位置決め部１２Ｃの貫通穴Ｈ３に通し、第４位置決め突起３２Ｄのボス３４を、第４位置決め部１２Ｄの貫通穴Ｈ４に通し、第５位置決め突起３２Ｅのボス３４を、第５位置決め部１２Ｅの貫通穴Ｈ５に通し、第６位置決め突起３２Ｆのボス３４を、第６位置決め部１２Ｆの貫通穴Ｈ６に通す。
【００５２】
これにより、シート本体１１は、所定方向すべてにわたって、湾曲面Ｓに対して位置決めされ、位置決め工程が完了する。
【００５３】
ここで、加飾シート１の寸法に公差程度の誤差がある場合でも、第５位置決め部１２Ｅおよび第６位置決め部１２Ｆのそれぞれが、湾曲面Ｓに対して所定方向に移動することにより、続く工程（第１貼付工程、第２貼付工程および第３貼付工程）において、加飾シート１が皺になることを防ぎながら、加飾シート１を湾曲面Ｓに貼り付けることができる。すなわち、第５位置決め部１２Ｅおよび第６位置決め部１２Ｆにより、加飾シート１の寸法公差を許容できる。
【００５４】
位置決め工程が完了した状態で、図３に示すように、シート本体１１の幅方向中央部分は、湾曲面Ｓに接触しており、シート本体１１の幅方向両端部は、貼付方向において、湾曲面Ｓから離れている。つまり、湾曲面Ｓの幅方向両端のそれぞれは、位置決め工程が完了し、第１貼付工程が実行される前において、貼付方向において、加飾シート１から離れる方向に湾曲している。なお、シート本体１１の幅方向中央部分は、湾曲面Ｓに接触しているが、セパレータ４が裏面Ｓ２に貼り付けられていることにより、湾曲面Ｓには貼り付けられていない。
【００５５】
（２）第１貼付工程
次に、第１貼付工程では、位置決め工程の後、図４に示すように、作業者は、加飾シート１の所定方向中央部分Ａ１を湾曲面Ｓの所定方向中央部分に貼り付ける。なお、このとき、セパレータ４は、ミシン目Ｌ（図２Ａ参照）に沿って、所定方向中央部分で分割され、所定方向中央部分から所定方向両端部に向かって、裏面Ｓ２から剥がされる。作業者は、加飾シート１の所定方向中央部分Ａ１の裏面Ｓ２が露出される程度に、セパレータ４を剥がし、加飾シート１の所定方向中央部分Ａ１を湾曲面Ｓの所定方向中央部分に貼り付ける。
【００５６】
（３）第２貼付工程
次に、第２貼付工程では、第１貼付工程の後、作業者は、加飾シート１の幅方向中央部分Ａ２を、セパレータ４を裏面Ｓ２から剥がしながら、所定方向中央から所定方向両端に向かって、湾曲面Ｓの幅方向中央部分に貼り付ける。第２貼付工程が完了した状態で、セパレータ４は、すべて、裏面Ｓ２から剥がされる。
【００５７】
（４）第３貼付工程
最後に、第３貼付工程では、第２貼付工程の後、作業者は、すべての位置決め部１２をシート本体１１から切り離した後、加飾シート１の幅方向両端Ａ３を、湾曲面Ｓに貼り付ける（図３の仮想線参照）。
【００５８】
その後、作業者は、フロントバンパーＢを治具Ｚから取り外す。
【００５９】
これにより、フロントバンパーＢに対する加飾シート１の貼り付けが完了する。
【００６０】
４．作用効果
この加飾シート１の貼り付け方法によれば、図１に示すように、加飾シート１を湾曲面Ｓに貼り付けるにあたって、位置決め工程により、加飾シート１の所定方向中央部分Ａ１（図４参照）を湾曲面Ｓに対して位置決めし、その後、図４に示すように、加飾シート１の所定方向中央部分Ａ１（第１貼付工程）、加飾シート１の幅方向中央部分Ａ２（第２貼付工程）、加飾シート１の幅方向両端Ａ３（第３貼付工程）の順に、加飾シート１を湾曲面Ｓに貼り付ける。
【００６１】
これにより、湾曲面Ｓの湾曲が比較的小さな所定方向中央部分Ａ１および幅方向中央部分Ａ２から、湾曲が大きくなる幅方向両端Ａ３に向かって、順次、加飾シート１を湾曲面Ｓに貼り付けることができる。
【００６２】
その結果、湾曲面Ｓに対する加飾シート１の位置がずれることを抑制しつつ、湾曲面Ｓに対して加飾シート１を貼り付けることができる。
【００６３】
また、この加飾シート１は、図１および図２に示すように、幅方向一端部の所定方向中央部分に設けられる第１位置決め部１２Ａと、幅方向他端部の所定方向中央部分に設けられる第２位置決め部１２Ｂとを有する。
【００６４】
そのため、加飾シート１を湾曲面Ｓに対して確実に位置決めできる。
【００６５】
５．変形例
上記した加飾シート１の貼り付け方法では、治具Ｚを用いて、加飾シート１を湾曲面Ｓに位置決めしたが、治具Ｚを用いることなく、加飾シート１を、直接、湾曲面Ｓに位置決めすることもできる。
【００６６】
詳しくは、セパレータ４のうち、各位置決め部１２の裏面Ｓ２に貼り付けられている部分を剥がし、各位置決め部１２を、ビーム２３の幅方向両端部の所定方向中央部分Ｐ１、Ｐ２（図５参照）、ビーム２３の幅方向両端部の所定方向両端部Ｐ３、Ｐ４（図５参照）に、それぞれ、貼り付ける。これにより、位置決め工程が完了する。
【００６７】
その後、上記した加飾シート１の貼り付け方法と同様に、加飾シート１の所定方向中央部分Ａ１（第１貼付工程）、加飾シート１の幅方向中央部分Ａ２（第２貼付工程）、加飾シート１の幅方向両端Ａ３（第３貼付工程）の順に、加飾シート１を湾曲面Ｓに貼り付ける。
【００６８】
また、上記した加飾シート１の貼り付け方法では、フロントバンパーＢを例に挙げて説明したが、加飾シート１を貼り付ける対象は、フロントバンパーＢに限らない。例えば、ピラーなどのボディの一部や、リアウィングなどのエアロパーツでもよい。
【符号の説明】
【００６９】
１        加飾シート
４        セパレータ
１２Ａ    第１位置決め部
１２Ｂ    第２位置決め部
Ａ１      所定方向中央部分
Ａ２      幅方向中央部分
Ａ３      幅方向両端
Ｂ        フロントバンパー
Ｓ        湾曲面
Ｓ１      表面
Ｓ２      裏面
【図１】
2019218507.tif 000003
【図２】
2019218507.tif 000004
【図３】
2019218507.tif 000005
【図４】
2019218507.tif 000006
【図５】
2019218507.tif 000007